(57)【要約】【課題】本発明は、便利に操作できるタッチパネルを備える電子装置を提供することを目的とする。【解決手段】本発明に係る電子装置は、ベースと、タッチパネルを設置する上カバーと、を備える。ベースの両側には、２つのスライド部品がそれぞれスライド可能に装着され、上カバーはスライド部品に回転可能に装着され、タッチパネルはベースに対して回転し、ベースの上方に位置する或いはベースと並行に位置することができる。【選択図】図１
2014174991.tif 000002
【特許請求の範囲】
【請求項１】
ベースと、
タッチパネルを設置する上カバーと、
を備えてなる電子装置であって、
前記ベースの両側には、２つのスライド部品がそれぞれスライド可能に装着され、前記上カバーは前記スライド部品に回転可能に装着され、前記タッチパネルは前記ベースに対して回転し、前記ベースの上方に位置する或いは前記ベースと並行に位置することができることを特徴とする電子装置。
【請求項２】
前記ベースの両側には、２つのレールがそれぞれ設置され、各前記レールにはスライド溝が設けられ、各前記スライド溝は対応する前記レールの第一側部の下部に開口を備え、前記第一側部において前記開口の上方にはブロック部がそれぞれ形成され、各前記スライド部品は、前記スライド溝にスライド可能に収容され且つ前記ブロック部にブロックされるスライド部と、対応する前記開口にスライド可能に収容される連接板と、を備えることを特徴とする請求項１に記載の電子装置。
【請求項３】
各前記レールは更に前記第一側部と反対の第二側部を備え、前記第二側部の両端には、前記スライド溝と連通する第一定位孔及び第二定位孔がそれぞれ設けられ、前記第一定位孔には前記スライド溝まで突出する又は前記スライド溝から退出することができる第一定位柱が装着され、前記第二定位孔には前記スライド溝まで突出する又は前記スライド溝から退出することができる第二定位柱が装着され、前記ベースは後壁及び前壁を備え、前記スライド部品の前記スライド部は前記第一定位柱と前記後壁との間にそれぞれ挟まれ、前記タッチパネルを第一位置に定位させ、前記スライド部品の前記スライド部は前記第二定位柱と前記前壁との間にそれぞれ挟まれ、前記タッチパネルを第二位置に定位させることを特徴とする請求項２に記載の電子装置。
【請求項４】
各前記スライド部品は前記連接板に連接される装着板を備え、前記装着板には前記上カバーの両側にそれぞれ回転可能に挿入される回転軸がそれぞれ突設されていることを特徴とする請求項２又は３に記載の電子装置。
【発明の詳細な説明】
【技術分野】
【０００１】
本発明は、タッチパネルを有する電子装置に関するものである。
【背景技術】
【０００２】
従来の技術において、ノート型パソコンのディスプレイ部はベースに対して回転可能であり、ディスプレイ部をベースから離れるように回転させることによって、ベース上のキーボードを操作してデータを入力することができる。近年、このノート型パソコンのディスプレイ部には、タッチパネルが採用されている。しかし、タッチパネルをベースから離れるように回転させた際、タッチパネルはユーザから離れているので操作しにくい。
【発明の概要】
【発明が解決しようとする課題】
【０００３】
本発明の目的は、前記問題を解決し、便利に操作できるタッチパネルを備えた電子装置を提供することである。
【課題を解決するための手段】
【０００４】
上記目的を達成するために、本発明に係る電子装置は、ベースと、タッチパネルを設置する上カバーと、を備える。ベースの両側には、２つのスライド部品がそれぞれスライド可能に装着され、上カバーはスライド部品に回転可能に装着され、タッチパネルはベースに対して回転し、ベースの上方に位置する或いはベースと並行に位置することができる。
【発明の効果】
【０００５】
本発明に係る電子装置のタッチパネルは、ベースにスライド可能に装着されるスライド部品によって回転可能に装着されるので、ベースに対してスライドでき、またベースに並行に位置することもできるので、操作するのに便利である。
【図面の簡単な説明】
【０００６】
【図１】本発明の実施形態に係る電子装置の分解斜視図である。
【図２】図１に示す電子装置のＩＩ部分の拡大図である。
【図３】図１に示す電子装置のＩＩＩ部分の拡大図である。
【図４】図１に示す電子装置のスライド部品の拡大図である。
【図５】図１に示す電子装置の組立斜視図であり、タッチパネルがベースに対して１８０度以下の角度で回転した状態を示す図である。
【図６】図１に示す電子装置の組立斜視図であり、タッチパネルがベースに並行に且つ第一位置に位置する状態を示す図である。
【図７】図１に示す電子装置の、タッチパネルがベースと平行に且つ第二位置に位置する状態を示す図である。
【発明を実施するための形態】
【０００７】
図１〜図３に示したように、本発明の実施形態に係る電子装置は、ベース１０と、上カバー２０と、上カバー２０の前側の中央（ベース１０に面する側）に装着されたタッチパネル２１と、を備える。
【０００８】
ベース１０は、下カバー１１と、下カバー１１に装着される本体１２と、２つの細長いレール１３と、を備える。各レール１３は、平行であり且つ反対の両側にそれぞれ位置する第一側部１３１及び第二側部１３２を備える。各レール１３の中央部には、レール１３の両端を貫通するスライド溝１３８が設けられている。スライド溝１３８は、第一側部１３１において第一側部１３１の下部及び第一側部１３１の両端を貫通する開口１３４を備える。これにより、第一側部１３１の開口１３４の上方には、ブロック部１３３が形成されている。第二側部１３２のスライド溝１３８の両端に隣接する箇所には、図１において、スライド溝１３８に連通する第一定位孔１３６（後方に位置する）及び第二定位孔１３７（前方に位置する）がそれぞれ設けられている。
【０００９】
第一定位孔１３６には第一定位柱８０が挿入されており、この第一定位柱８０は押圧されるとスライド溝１３８から退出し、押圧されない場合、弾性力によってスライド溝１３８まで突出している。また、第二定位孔１３７には第二定位柱９０が挿入されおり、この第二定位柱９０は押圧されるとスライド溝１３８から退出し、押圧されない場合、弾性力によってスライド溝１３８まで突出している。
【００１０】
各レール１３には、スライド部品４０がスライド可能に装着される。各スライド部品４０は、連接板４１と、連接板４１の一端から連接板４１に対して垂直に上方へ延伸するスライド部４２と、連接板４１の他端に連接板４１に対して垂直に連接された装着板４３と、を備える。装着板４３の長さは、スライド部４２の長さより長い。装着板４３のスライド部４２に面する側の上端には、回転軸４３１が突設されている。
【００１１】
上カバー２０の両側の下部には、収容孔２１１がそれぞれ設けられている。
【００１２】
図４及び図５に示したように、電子装置を組み立てる際、各スライド部品４０のスライド部４２を、レール１３の後端からスライド溝１３８内にそれぞれスライド可能に収容し、連接板４１を、対応する開口１３４にそれぞれスライド可能に収容する。各スライド部４２は対応するブロック部１３３にブロックされるので、対応する開口１３４を通ってスライド溝１３８から離脱しない。次いで、本体１２及びレール１３を、下カバー１１上に、且つ下カバー１１の前壁１１０と後壁１１２との間に装着する。この時、レール１３の第二側部１３２は本体１２の両側にそれぞれ当接される。レール１３の前端が下カバー１１の前壁１１０にブロックされ、レール１３の後端は下カバー１１の後壁１１２にブロックされるので、各スライド部品４０はレール１３の両端を通ってスライド溝１３８から離脱することはない。また、スライド部４２が第一定位柱８０と下カバー１１の後壁１１２との間にそれぞれ挟まれ、第一位置に位置する場合、各スライド部品４０は前壁１１０に向かってスライドできない。次いで、回転軸４３１を、収容孔２１１にそれぞれ回転可能に挿入して、タッチパネル２１をベース１０に回転可能に装着する。使用する際は、ベース１０に対して上カバー２０を回転させることで、電子装置を使用できる。
【００１３】
図６及び図７に示したように、タッチパネル２１を操作してデータを入力する場合、上カバー２０をベース１０に対して並行且つベース１０の上方に位置するようにタッチパネル２１を１８０度回転させる。次いで、若干大きな力によって各スライド部品４０をレール１３に沿って前壁１１０に向かってスライドさせると、スライド部４２は、対応する第一定位柱８０までそれぞれ摺動して、第一定位柱８０を対応する第一定位孔１３６内に挿入させる（すなわち、第一定位柱８０をスライド溝１３８から退出させる）。各スライド部品４０を引き続きスライドさせると、タッチパネル２１はさらに前壁１１０に向かって移動する。この際、スライド部４２は第二定位柱９０までそれぞれ摺動して、第二定位柱９０を第二定位孔１３７に挿入させる（すなわち、第二定位柱９０をスライド溝１３８から退出させる）。スライド部品４０が第二定位柱９０をそれぞれ乗り越えると、第二定位柱９０は、対応する第二定位孔１３７から突出し、対応するスライド部４２をそれぞれブロックする。即ち、スライド部４２は、第二定位柱９０と下カバー１１の前壁１１０との間にそれぞれ挟まれ、第二位置に位置するので、後壁１１２に向かってスライドできない。
【００１４】
他の実施形態において、第一定位柱８０及び第二定位柱９０は省略することができる。この場合、スライド部品４０は摩擦力によって対応するスライド溝１３８内に定位される。
【符号の説明】
【００１５】
１０  ベース
１１  下カバー
１１０  前壁
１１２  後壁
１２  本体
１３  レール
１３１  第一側部
１３２  第二側部
１３３  ブロック部
１３４  開口
１３６  第一定位孔
１３７  第二定位孔
１３８  スライド溝
１９  第一通孔
２０  上カバー
２０２  窪み部
２０３  固定孔
２０４  第二通孔
２１０  側壁
２１１  収容孔
２１２  上壁
２１  タッチパネル
４０  スライド部品
４１  連接板
４２  スライド部
４３  装着板
４３１  回転軸
８０  第一定位柱
９０  第二定位柱
【図１】
2014174991.tif 000003
【図２】
2014174991.tif 000004
【図３】
2014174991.tif 000005
【図４】
2014174991.tif 000006
【図５】
2014174991.tif 000007
【図６】
2014174991.tif 000008
【図７】
2014174991.tif 000009